(57)【要約】【課題】人々が積極的にボランティア活動に参加するシステムを提供する。【解決手段】  本発明は、様々な形態で提供されている有償無償サービスを、ネットワーク上で、それらサービス利用のために必要となるチケットの発行などのトランザクションの発生毎に、その内容を台帳に記録し、管理する。そして、ボランティアとして無償によりザービスの提供を行った者に、その者の選択により、将来、サービスの提供を受ける権利を無償で付与し、継続的に循環的にサービスが供給され続けることを実現する。さらに、本発明は、このようなボランティア参加者が安心してサービスの提供先を選択できるように、相手先に、ＲＧＢカラーモデルの三原色から二色が選択され、肯定的に評価されている場合には、そのいずれかの色に近い色が表示され、否定的に評価されている場合には、その選択した色とは別の色に近い色が表示される。【選択図】図４
2018032175.tif 000002
【特許請求の範囲】
【請求項１】
様々な形態で提供されている有償無償サービスの提供を受けるために必要なチケットを発行することができるチケット買取付与センターが有している端末（２）と、サービス利用ユーザーが有している端末（３）と、サービスを提供するサービス提供ユーザーが有している端末（４）と、そして、サービス提供ユーザーをサービス利用ユーザーへ派遣することによって、サービスを組織的に提供する有償サービス提供センター及び無償ザービス提供センターが有している端末（５）が、近距離無線通信又はインターネット等の情報処理に係る通信回線若しくは通信回線網であるネットワーク（１）を介して通信可能であり、前記チケット買取付与センター、サービス利用ユーザー、サービス提供ユーザー、有償サービス提供センター、無償ザービス提供センターの各チケットの保有、移動等を行う方法であって、
ネットワーク上の参加者の相互監視に基づくチケットの保有、移動等の状況の記録を同期する統一システム（以下「統一システム」という）に基づく方法か、
又は、サーバー装置（１８）と各ユーザーの端末装置により構成されるシステム（以下「サーバーシステム」という）に基づく方法かにより、前記チケットの保有、移動等の記録が管理され、
前記統一システムによる方法の場合、参加者の各端末上の情報記憶部に、チケットの発行などのトランザクションに関して、それが発生した日時、トランザクションの処理の内容、トランザクション対象のチケット数、チケット減少者、そして、チケット増加者が記録される台帳が作成され、それが同期され、
前記サーバーシステムによる方法の場合、前記台帳が、サーバー装置（１８）で一元的に管理され、
この方法では、
前記チケット買取付与センター、サービス利用ユーザー、サービス提供ユーザー、有償サービス提供センター、無償ザービス提供センターの各参加者は、公開を前提とする公開鍵暗号と公開を前提としない秘密鍵暗号を保有し、
チケットの発行などのトランザクションが発生した際に、チケットを減少する参加者は、チケットを移動させたい相手方の公開鍵暗号で、トランザクション内容を暗号化する工程を経て、
当該相手方は、自己の秘密鍵暗号で、トランザクション内容を統一システム若しくはサーバーシステム内の台帳に反映させる工程を経ることで、チケットの移動を完了させ、
有償サービス提供センターと、チケット買取付与センターの間では、有償サービス提供センターが保有するチケットをチケット買取付与センターに有償で移転させることができるチケット買取工程を経ることで有償でチケットが移転し、
サービス提供ユーザーがチケットを保有している場合には、サービス利用ユーザーとして、有償サービス提供センター若しくは無償ザービス提供センターを通じて、各センターが派遣するサービス提供ユーザーから各種のサービスの提供を受けるか、又は、サービス提供ユーザーから直接サービスの提供を受ける工程を経ることで、サービス提供ユーザーが保有していたチケットが、前記ネットワーク通信回線を介して、別のサービス提供ユーザーに移転することにより、
サービスが、有償としてのみではなく、無償としても継続的に循環的に供給されることを特徴とする
ボランティア活動活性化スキーム。
【請求項２】
請求項１記載のボランティア活動活性化スキームにおいて、
前記参加者の各端末上の表示装置に、前記台帳上の各端末操作参加者の保有チケット数が表示され、その表示されたチケット数の範囲内で、チケットを別の参加者に移動させることを特徴とする
ボランティア活動活性化スキーム。
【請求項３】
請求項１記載のボランティア活動活性化スキームにおいて、
前記統一システムに基づく方法か、又は、サーバーシステムに基づく方法かにより、チケットの保有、移動等の記録が管理され、
前記統一システムによる方法の場合、参加者の各端末上の情報記憶部に、チケットの発行などのトランザクションに関して、それが発生した日時、トランザクションの処理の内容、トランザクション対象のチケット数、チケット減少者、そして、チケット増加者が記録される台帳が作成され、それが同期され、
前記サーバーシステムによる方法の場合、前記台帳が、サーバー装置（１８）で一元的に管理され、
前記チケット買取付与センター、サービス利用ユーザー、サービス提供ユーザー、有償サービス提供センター、無償ザービス提供センターの各参加者は、公開を前提とする公開鍵暗号と公開を前提としない秘密鍵暗号を保有し、
チケットの発行などのトランザクションが発生した際に、チケットを減少する参加者は、チケットを移動させたい相手方の公開鍵暗号で、トランザクション内容を暗号化する工程を経て、
当該相手方は、自己の秘密鍵暗号で、トランザクション内容を統一システム若しくはサーバーシステム内の台帳に反映させる工程を経ることで、チケットの移動を完了させ、
有償サービス提供センターと、チケット買取付与センターの間では、有償サービス提供センターが保有するチケットをチケット買取付与センターに購入させることができるチケット買取工程を経ることで有償でチケットが移転し、
サービス提供ユーザーがチケットを保有している場合には、サービス利用ユーザーとして、有償サービス提供センター若しくは無償ザービス提供センターを通じて、各センターが派遣するサービス提供ユーザーから各種のサービスの提供を受けるか、又は、サービス提供ユーザーから直接サービスの提供を受ける工程を経ることで、サービス提供ユーザーが保有していたチケットが、前記ネットワーク通信回線を介して、別のサービス提供ユーザーに移転することにより、
サービスが、有償としてのみではなく、無償としても継続的に循環的に供給されることを実行させるためのプログラム。
【請求項４】
請求項１記載のボランティア活動活性化スキームにおいて、
前記サーバーシステムに基づく方法により、チケットの保有、移動等のトランザクションに関して、それが発生した日時、トランザクションの処理の内容、トランザクション対象のチケット数、チケット減少者、そして、チケット増加者が記録される台帳が、サーバー装置（１８）で一元的に管理され、
前記チケット買取付与センター、サービス利用ユーザー、サービス提供ユーザー、有償サービス提供センター、無償ザービス提供センターの各参加者は、公開を前提とする公開鍵暗号と公開を前提としない秘密鍵暗号を保有し、
チケットの発行などのトランザクションが発生した際に、チケットを減少する参加者は、チケットを移動させたい相手方の公開鍵暗号で、トランザクション内容を暗号化する工程を経て、
当該相手方は、自己の秘密鍵暗号で、トランザクション内容を統一システム若しくはサーバーシステム内の台帳に反映させる工程を経ることで、チケットの移動を完了させ、
有償サービス提供センターと、チケット買取付与センターの間では、有償サービス提供センターが保有するチケットをチケット買取付与センターに購入させることができるチケット買取工程を経ることで有償でチケットが移転し、
サービス提供ユーザーがチケットを保有している場合には、サービス利用ユーザーとして、有償サービス提供センター若しくは無償ザービス提供センターを通じて、各センターが派遣するサービス提供ユーザーから各種のサービスの提供を受けるか、又は、サービス提供ユーザーから直接サービスの提供を受ける工程を経ることで、サービス提供ユーザーが保有していたチケットが、前記ネットワーク通信回線を介して、別のサービス提供ユーザーに移転することにより、
サービスが、有償としてのみではなく、無償としても継続的に循環的に供給されることを管理するシステム。
【請求項５】
請求項１記載のボランティア活動活性化スキームにおいて、
前記統一システムに基づく方法か、又は、サーバーシステムに基づく方法かにより、チケットの保有、移動等の記録が管理され、
前記統一システムによる方法の場合、参加者の各端末上の情報記憶部に、チケットの発行などのトランザクションに関して、それが発生した日時、トランザクションの処理の内容、トランザクション対象のチケット数、チケット減少者、そして、チケット増加者が記録される台帳が作成され、それが同期され、
前記サーバーシステムによる方法の場合、前記台帳が、サーバー装置（１８）で一元的に管理され、
前記チケット買取付与センター、サービス利用ユーザー、サービス提供ユーザー、有償サービス提供センター、無償ザービス提供センターの各参加者は、公開を前提とする公開鍵暗号と公開を前提としない秘密鍵暗号を保有し、
チケットの発行などのトランザクションが発生した際に、チケットを減少する参加者は、チケットを移動させたい相手方の公開鍵暗号で、トランザクション内容を暗号化する工程を経て、
当該相手方は、自己の秘密鍵暗号で、トランザクション内容を統一システム若しくはサーバーシステム内の台帳に反映させる工程を経ることで、チケットの移動を完了させ、
有償サービス提供センターと、チケット買取付与センターの間では、有償サービス提供センターが保有するチケットをチケット買取付与センターに購入させることができるチケット買取工程を経ることで有償でチケットが移転し、
サービス提供ユーザーがチケットを保有している場合には、サービス利用ユーザーとして、有償サービス提供センター若しくは無償ザービス提供センターを通じて、各センターが派遣するサービス提供ユーザーから各種のサービスの提供を受けるか、又は、サービス提供ユーザーから直接サービスの提供を受ける工程を経ることで、サービス提供ユーザーが保有していたチケットが、前記ネットワーク通信回線を介して、別のサービス提供ユーザーに移転することにより、
サービスが、有償としてのみではなく、無償としても継続的に循環的に供給されることを実行する端末装置及びその制御方法。
【請求項６】
請求項１記載のボランティア活動活性化スキームにおいて、
前記サービス利用ユーザーが、自身が管理する端末の表示装置に表示される無償サービス提供センター若しくは有償サービス提供センター、又は、直接サービス提供ユーザーが提示するサービス内容及びそれを利用するために必要なチケット数を比較検討して、必要なサービスの提供を受ける方法、
及び／又は、サービス利用ユーザーが提供を受けたいサービスの内容及びそれに対して交付してもいいと考えるチケット数の上限を、無償サービス提供センター若しくは有償サービス提供センター、又は、直接サービス提供ユーザーの各端末の表示装置に表示させ、それらの端末の管理者からの入札を受け付け、その入札者の中からサービスの提供を受ける相手方を決定する方法。
【請求項７】
請求項１、２記載のボランティア活動活性化スキームにおいて、
前記チケット買取付与センター、サービス利用ユーザー、サービス提供ユーザー、有償サービス提供センター、無償ザービス提供センターの各参加者が、チケットを移動させるトランザクションを行った際に、チケットを移動させた相手方を肯定的又は否定的に評価する処理する方法であって、
当初、ＲＧＢカラーモデルの三原色である赤、緑、青の中から二色が選択されている中で、当該二色を両極端に、その中間地点の色がすべての参加者の当初設定の色とされ、
チケットが移動するトランザクションが行われた後、チケットを減少させた参加者とチケットを増加させた参加者の双方に、相手方を肯定的又は否定的に評価する選択権が与えられ、
当該選択権に基づいて、肯定的に評価した場合には、相手方に設定されている色が、前記ＲＧＢカラーモデルの三原色から選択された色の一方側に移動し、否定的に評価した場合には、その選択した色の工程側とは逆向きの色に向けて色が移動する方法であって、
前記参加者が管理する端末の表示装置を通じて、チケットを移動させる相手方の評価を表示される色により容易に判断できることを特徴とする
簡易取引相手方判断方法。
【請求項８】
請求項７の簡易取引相手方判断方法において、
前記チケット買取付与センター、サービス利用ユーザー、サービス提供ユーザー、有償サービス提供センター、無償ザービス提供センターの各参加者が、チケットを移動させるトランザクションを行った際に、チケットを移動させた相手方を肯定的又は否定的に評価する処理する方法であって、
当初、ＲＧＢカラーモデルの三原色である赤、緑、青の中から二色が選択されている中で、当該二色を両極端に、その中間地点の色がすべての参加者の当初設定の色とされ、
チケットが移動するトランザクションが行われた後、チケットを減少させた参加者とチケットを増加させた参加者の双方に、相手方を肯定的又は否定的に評価する選択権が与えられ、
当該選択権に基づいて、肯定的に評価した場合には、相手方に設定されている色が、前記ＲＧＢカラーモデルの三原色から選択された色の一方側に移動し、否定的に評価した場合には、その選択した色の工程側とは逆向きの色に向けて色が移動する方法であって、
前記参加者が管理する端末の表示装置を通じて、チケットを移動させる相手方の評価を表示される色により容易に判断できるプログラム、管理システム、端末装置及びその制御方法。
【発明の詳細な説明】
【技術分野】
【０００１】
本発明は、通信回線に接続された各端末から、近距離無線通信又は通信回線を介して接続する、端末装置及び／又はサーバー装置による、ボランティア活動を活性化するための端末装置及び／又はサーバー装置、サービスを受けるためのチケットに関するプログラム、そのサービス管理方法、記憶媒体及びチケット記録システムに関するものである。
【背景技術】
【０００２】
通信インフラ環境の高度化に伴い、人々が有償・無償で社会に提供したサービスの履歴を記録することが容易となった。従来は、人々が有償で行ったサービスの提供は主に賃金として対価が支払われ、無償でサービスを提供した場合には、ボランティア活動として、１回のサービスごとに感謝というねぎらいの言葉が与えられてきた。
【０００３】
通信インフラ環境が高度化した現代においては、人々が行った個々のサービスの提供を記録・保存・検証することが容易となり、実際にビックデータとして大量の取引記録が様々な機関により保存されている。そのため、過去、無償でサービスの提供を行ったボラティアに、将来、ボランティアからの無償によるサービスの提供を受ける権利を与えることで、ボランティア活動が継続的に循環していくことを活性化することが可能となった。また、近年は、スマートフォンに代表される高機能な携帯端末の普及に伴い、ユーザーが不特定多数の対象者の中から、サービス提供者を選択する機会が増えている。そのため、誰を選択すべきかに関して、過去のサービス提供者の評価が重要視されている。ビックデータが一般化している現在では、このような評価をより簡易にサービス利用者に提供することができるようになった。
【発明の概要】
【発明が解決しようとする課題】
【０００４】
従来、介護サービスのような福祉サービスは、有償・無償のサービス提供機関を通じて提供されてきた。その際、サービス提供者がボランティアとして無償でサービスの提供を行うこともあった。その無償のサービス提供の対価としてポイントという介護保険料のような別の経済価値に交換可能な報酬が交付されることもあった。しかし、このようなポイント付与は、１回のサービス提供に対して、ポイントが付与され、そのポイントが消費されて完結するというように、原則として、１回ごとに完結するものであった。そのため、ボランティア活動を活性化させるという点では、弱いものであるという課題があった。
【課題を解決するための手段】
【０００５】
上記課題を解決するために、本発明のボランティア活動活性化スキームでは、まず、インターネット等のネットワークを介して、チケットの発行などのトランザクションに関して、それが発生した日時、トランザクションの処理の内容、トランザクション対象のチケット数、チケット減少者、そして、チケット増加者が記録される台帳が作成される。この台帳は、チケット買取付与センター、サービス利用ユーザー、サービス提供ユーザー、有償サービス提供センター、無償ザービス提供センターの各参加者で共有・同期される（以下「統一システム」という）か、サーバー装置により一元的に管理される（以下「サーバーシステム」という）。
【０００６】
次に、前記チケット買取付与センター、サービス利用ユーザー、サービス提供ユーザー、有償サービス提供センター、無償ザービス提供センターの各参加者は、公開を前提とする公開鍵暗号と公開を前提としない秘密鍵暗号を保有する。そして、チケットの発行などのトランザクションが発生した際に、チケットを減少する参加者は、チケットを移動させたい相手方の公開鍵暗号で、トランザクション内容を暗号化し、当該相手方は、自己の秘密鍵暗号で、トランザクション内容を統一システム若しくはサーバーシステム内の台帳に反映させることで、チケットの移動を完了させる。
【０００７】
有償サービス提供センターと、チケット買取付与センターの間では、有償サービス提供センターが保有するチケットをチケット買取付与センターに有償で移転させることができる。また、サービス提供ユーザーがチケットを保有している場合には、サービス利用ユーザーとして、有償サービス提供センター若しくは無償ザービス提供センターを通じて、各センターが派遣するサービス提供ユーザーから各種のサービスの提供を受けるか、又は、サービス提供ユーザーから直接サービスの提供を受ける工程を経ることで、サービス提供ユーザーが保有していたチケットが、前記ネットワーク通信回線を介して、別のサービス提供ユーザーに移転することができる。
【０００８】
前記参加者の各端末上の表示部に、前記台帳上の各端末操作参加者の保有チケット数が表示され、その表示されたチケット数の範囲内で、チケットを別の参加者に移動させることができる。
【０００９】
前記サービス利用ユーザーは、自身が管理する端末の表示部に表示される無償サービス提供センター若しくは有償サービス提供センター、又は、直接サービス提供ユーザーが提示するサービス内容及びそれを利用するために必要なチケット数を比較検討して、必要なサービスの提供を受けるか、サービス利用ユーザーが提供を受けたいサービスの内容及びそれに対して交付してもいいと考えるチケット数の上限を提示して、無償サービス提供センター若しくは有償サービス提供センター、又は、直接サービス提供ユーザーの各端末の表示部に表示させ、それらの端末の管理者からの入札を受け付け、その入札者の中からサービスの提供を受けることができる。
【００１０】
前記チケット買取付与センター、サービス利用ユーザー、サービス提供ユーザー、有償サービス提供センター、無償ザービス提供センターの各参加者が、取引の相手方を容易に判断するために、当初、ＲＧＢカラーモデルの三原色である赤、緑、青の中から二色が選択されている中で、当該二色を両極端に、その中間地点の色がすべての参加者の当初設定の色とされ、  その後の各参加者の評価により、色が変化する。色の変化は、チケットが移動するトランザクションが行われた後、チケットを減少させた参加者とチケットを増加させた参加者の双方に、相手方を肯定的又は否定的に評価する選択権が与えられ、当該選択権に基づいて、肯定的に評価した場合には、相手方に設定されている色が、前記ＲＧＢカラーモデルの三原色から選択された色の一方側に移動し、否定的に評価した場合には、その選択した色の工程側とは逆向きの色に向けて色が移動する方法により変化する。
【発明の効果】
【００１１】
本発明によれば、善意の気持ちでボランティア活動を行った者が将来ボランティアによる手助けを受けられることとなり、豊かな人生を歩むことが可能となる。このように善意の活動を行ったものが報われる社会となることで、ボランティア活動が活性化される。また、サービスの提供を受ける側も、提供を行う側も、互いに評価され、それが色によって公表されることにより、相互に自制し、より良い関係を築くことができるようになる。
【図面の簡単な説明】
【００１２】
【図１】本発明によるボランティア活動活性化スキームの統一システムの概略構成を示すブロック構成図である。
【図２】本発明によるボランティア活動活性化スキームのサーバーシステムの概略構成を示すブロック構成図である。
【図３】本発明にかかるサーバー装置の好適な実施形態を示す概略構成図である。
【図４】本発明によるボランティア活動活性化スキームの全体を示すブロック構成図である。
【図５】台帳データの例である。
【発明を実施するための形態】
【００１３】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、以下に述べる各要素を均等なものに置換した実施の形態を採用することも可能であり、かかる実施の形態も本発明の範囲に含まれる。また、必要に応じて示す上下左右等の位置関係は、特に断らない限り、図示の表示に基づくものとする。加えて、図面における各種の寸法比率は、その図示の比率に限定されるものではない。
【００１４】
図１は、本発明のボランティア活動活性化スキームを統一システムにより構成する場合の概略を示すブロック構成図である。図１において、近距離無線通信又はインターネット等の情報処理に係る通信回線若しくは通信回線網１であるネットワークに有線接続及び／又は無線接続された、チケット買取付与センター、サービス利用ユーザー、サービス提供ユーザー、有償サービス提供センター、無償ザービス提供センターの各参加者が管理する、クライアントコンピュータ（７）乃至（１１）、タブレット端末（１２）乃至（１６）、携帯端末（１７）乃至（２１）いったような端末装置２乃至６が、互いに通信可能に設定されることにより、本発明のボランティア活動活性化スキームが構成される。
【００１５】
図２は、本発明のボランティア活動活性化スキームをサーバーシステムにより構成する場合の概略を示すブロック構成図である。図２において、まず、サーバー装置（２２）は、前記ネットワーク（１）に接続されたサーバー用コンピューターであり、そのサーバー用コンピューターにおいて所定のサーバー用プログラムが動作することにより、サーバー機能を発現する。次に、そのサーバー装置（２２）と、同じく前記ネットワーク（１）に接続された前記端末装置（２）乃至（６）が、互いに通信可能に設定されることにより、本発明のボランティア活動活性化スキームが構成される。
【００１６】
図３は、本発明によるサーバー装置（２２）の好適な実施形態を示す概略構成図である。サーバー装置（２２）は、ＣＰＵやＭＰＵといった演算処理部（２５）、記憶装置としてのＲＯＭ（２６）及びＲＡＭ（２７）、操作部（２４）及び外部インターフェース（３２）、ディスプレイモニタ等表示装置（２９）が接続された画像処理部（２８）、音声出力装置（３１）が接続された音声処理部（３０）、並びに、ネットワークインターフェース（２３）を備えている。それらの機能は、内部バス、外部バス、及び拡張バスを含むシステムバスといった伝送路を介して互いに接続されている。もっとも、表示装置、音声出力装置等の入出力を担うデバイス装置は、必要に応じて適宜省略されることもある。また、それらが備えられている場合であっても、それらが必ずしも伝送路に常時接続されているわけでなくてもよい。
【００１７】
図４に示されるようなボランティア活動活性化スキーム（３３）は、前記ネットワーク（１）を介して、端末装置（２）乃至（６）と接続される。チケット買取付与センター端末（２）では、表示装置（３４）に、発行チケット数の選択と移動ユーザー又は無償サービス提供センターの選択を行うための画面が、同端末内の画像処理部による処理の結果表示される、同表示装置（３４）上の画面内で、発行するチケット数とチケットを移動させる相手先のユーザー又は無償サービス提供センターを選択すると、選択相手先の色が表示され、実行を押すことで、公開鍵暗号処理部で、相手先にチケット移動するトランザクションが相手先の公開鍵暗号で暗号化されて、相手先に通知される。そうすると、この通知を受けた相手先の端末上の表示装置に、当該トランザクションの内容とそれを承認するか否かの選択を求める画面が表示され、当該相手方がトランザクションを承認すると、同相手方の端末の秘密鍵暗号処理部において、同相手方の秘密鍵暗号によりチケットを移動させるトランザクションを完了させる。かかるトランザクションが完了することにより、図５に示されている記録内容が、統一システム及びサーバーシステム上の台帳に記録される。トランザクションの記録が完了すると、チケット買取付与センター端末（２）及びトランザクションの相手方端末の双方に、取引の相手方を肯定的に評価するか、否定的に評価するかを選択する画面が、双方の端末の表示装置に表示される。当該選択権に基づいて、肯定的に評価された場合には、相手方に設定されている色が、ＲＧＢカラーモデルの三原色から選択された二色の一方側に１単位移動し、否定的に評価した場合には、その選択した色の工程側とは逆向きの色に向けて色が１単位移動する。
【００１８】
サービス利用ユーザー端末（３）では、表示装置（３４）に表示される無償サービス提供センター若しくは有償サービス提供センター、又は、直接サービス提供ユーザーが提示するサービス内容及びそれを利用するために必要なチケット数が表示されるか、又は、サービス利用ユーザーが提供を受けたいサービスの内容及びそれに対して交付してもいいと考えるチケット数の上限を、無償サービス提供センター若しくは有償サービス提供センター、又は、直接サービス提供ユーザーの各端末の表示装置に表示させ、それらの端末の管理者からの入札を受け付け、その入札者の名称及び入札チケット数が表示される。
【００１９】
サービス利用ユーザーが、チケットを移動させるサービス提供ユーザーを決定すると、サービス提供ユーザーは、自身の端末（３）の表示装置（３４）に表示される、制御部が台帳から算出した保有するチケット数の範囲内から、同端末内の画像処理部による処理の結果表示される、同表示装置（３４）上の画面内で、移動するチケット数とチケットを移動させる相手先のサービス提供ユーザーを選択すると、選択サービス提供の色が表示され、実行を押すことで、公開鍵暗号処理部で、相手先にチケット移動するトランザクションが相手先の公開鍵暗号で暗号化されて、相手先に通知される。そうすると、この通知を受けた相手先の端末上の表示装置に、当該トランザクションの内容とそれを承認するか否かの選択を求める画面が表示され、当該相手方がトランザクションを承認すると、同相手方の端末の秘密鍵暗号処理部において、同相手方の秘密鍵暗号によりチケットを移動させるトランザクションを完了させる。かかるトランザクションが完了することにより、図５に示されている記録内容が、統一システム及びサーバーシステム上の台帳に記録される。トランザクションの記録が完了すると、サービス利用ユーザー端末（３）及びトランザクションの相手方端末の双方に、取引の相手方を肯定的に評価するか、否定的に評価するかを選択する画面が、双方の端末の表示装置に表示される。当該選択権に基づいて、肯定的に評価された場合には、相手方に設定されている色が、ＲＧＢカラーモデルの三原色から選択された二色の一方側に１単位移動し、否定的に評価した場合には、その選択した色の工程側とは逆向きの色に向けて色が１単位移動する。
【００２０】
サービス提供ユーザー端末（４）では、表示装置（３４）に、移動チケット数の選択と移動させる有償サービス提供センターの選択を行うための画面が、同端末内の画像処理部による処理の結果表示される、同表示装置（３４）上の画面内で、移動するチケット数とチケットを移動させる相手先の有償サービス提供センターを選択すると、選択相手先の色が表示され、実行を押すことで、公開鍵暗号処理部で、相手先にチケット移動するトランザクションが相手先の公開鍵暗号で暗号化されて、相手先に通知される。そうすると、この通知を受けた相手先の端末上の表示装置に、当該トランザクションの内容とそれを承認するか否かの選択を求める画面が表示され、当該相手方がトランザクションを承認すると、同相手方の端末の秘密鍵暗号処理部において、同相手方の秘密鍵暗号によりチケットを移動させるトランザクションを完了させる。かかるトランザクションが完了することにより、図５に示されている記録内容が、統一システム及びサーバーシステム上の台帳に記録される。トランザクションの記録が完了すると、サービス提供ユーザー端末（４）及びトランザクションの相手方端末の双方に、取引の相手方を肯定的に評価するか、否定的に評価するかを選択する画面が、双方の端末の表示装置に表示される。当該選択権に基づいて、肯定的に評価された場合には、相手方に設定されている色が、ＲＧＢカラーモデルの三原色から選択された二色の一方側に１単位移動し、否定的に評価した場合には、その選択した色の工程側とは逆向きの色に向けて色が１単位移動する。
【００２１】
有償サービス提供センター端末（５）では、表示装置（３４）に、移動チケット数の選択と移動させるチケット買取付与センターの選択を行うための画面が、同端末内の画像処理部による処理の結果表示される、同表示装置（３４）上の画面内で、移動するチケット数とチケットを移動させる相手先のチケット買取付与センターを選択すると、選択相手先の色が表示され、実行を押すことで、公開鍵暗号処理部で、相手先にチケット移動するトランザクションが相手先の公開鍵暗号で暗号化されて、相手先に通知される。そうすると、この通知を受けた相手先の端末上の表示装置に、当該トランザクションの内容とそれを承認するか否かの選択を求める画面が表示され、当該相手方がトランザクションを承認すると、同相手方の端末の秘密鍵暗号処理部において、同相手方の秘密鍵暗号によりチケットを移動させるトランザクションを完了させる。かかるトランザクションが完了することにより、図５に示されている記録内容が、統一システム及びサーバーシステム上の台帳に記録される。トランザクションの記録が完了すると、有償サービス提供センター端末（５）及びトランザクションの相手方端末の双方に、取引の相手方を肯定的に評価するか、否定的に評価するかを選択する画面が、双方の端末の表示装置に表示される。当該選択権に基づいて、肯定的に評価された場合には、相手方に設定されている色が、ＲＧＢカラーモデルの三原色から選択された二色の一方側に１単位移動し、否定的に評価した場合には、その選択した色の工程側とは逆向きの色に向けて色が１単位移動する。
【００２２】
無償サービス提供センター端末（６）では、表示装置（３４）に、移動チケット数の選択と移動させるサービス提供ユーザーの選択を行うための画面が、同端末内の画像処理部による処理の結果表示される、同表示装置（３４）上の画面内で、移動するチケット数とチケットを移動させる相手先のサービス提供ユーザーを選択すると、選択相手先の色が表示され、実行を押すことで、公開鍵暗号処理部で、相手先にチケット移動するトランザクションが相手先の公開鍵暗号で暗号化されて、相手先に通知される。そうすると、この通知を受けた相手先の端末上の表示装置に、当該トランザクションの内容とそれを承認するか否かの選択を求める画面が表示され、当該相手方がトランザクションを承認すると、同相手方の端末の秘密鍵暗号処理部において、同相手方の秘密鍵暗号によりチケットを移動させるトランザクションを完了させる。かかるトランザクションが完了することにより、図５に示されている記録内容が、統一システム及びサーバーシステム上の台帳に記録される。トランザクションの記録が完了すると、無償サービス提供センター端末（６）及びトランザクションの相手方端末の双方に、取引の相手方を肯定的に評価するか、否定的に評価するかを選択する画面が、双方の端末の表示装置に表示される。当該選択権に基づいて、肯定的に評価された場合には、相手方に設定されている色が、ＲＧＢカラーモデルの三原色から選択された二色の一方側に１単位移動し、否定的に評価した場合には、その選択した色の工程側とは逆向きの色に向けて色が１単位移動する。
【符号の説明】
【００２３】
１  通信回線網のこと
２  端末装置のこと
３  端末装置のこと
４  端末装置のこと
５  端末装置のこと
６  端末装置のこと
７  クライアントコンピュータのこと
８  クライアントコンピュータのこと
９  クライアントコンピュータのこと
１０  クライアントコンピュータのこと
１１  クライアントコンピュータのこと
１２  タブレット端末のこと
１３  タブレット端末のこと
１４  タブレット端末のこと
１５  タブレット端末のこと
１６  タブレット端末のこと
１７  携帯端末のこと
１８  携帯端末のこと
１９  携帯端末のこと
２０  携帯端末のこと
２１  携帯端末のこと
２２  サーバー装置のこと
２３  ネットワークインターフェースのこと
２４  操作部のこと
２５  演算処理部のこと
２６  ＲＯＭのこと
２７  ＲＡＭのこと
２８  画像処理部のこと
２９  表示装置のこと
３０  音声処理部のこと
３１  音声出力装置のこと
３２  外部インターフェースのこと
３３  ボランティア活動活性化スキームのこと
３４  表示装置のこと
３５  制御部のこと
３６  公開暗号処理部のこと
３７  秘密暗号処理部のこと
【図１】
2018032175.tif 000003
【図２】
2018032175.tif 000004
【図３】
2018032175.tif 000005
【図４】
2018032175.tif 000006
【図５】
2018032175.tif 000007